(57)【特許請求の範囲】
【請求項１】
発光時間長によって輝度表現を行うディスプレイの駆動装置の画像処理回路であって、
入力される所定階調数の入力ＲＧＢ信号からそれ以下の階調数のＲＧＢ信号を生成するメインパスと、
前記メインパスより少ない階調数のＲＧＢ信号を生成するサブパスと、
前記メインパスの生成信号とサブパスの生成信号とを切り替えて出力するスイッチと、
前記入力ＲＧＢ信号から輝度信号Ｙと色差信号Ｉを演算し、前記輝度信号Ｙと前記色差信号Ｉとに基づく信号の動き量が所定値を超える動き領域を検出する動き領域検出手段と、
前記入力ＲＧＢ信号から肌色に対応する色空間領域を検出する色検出手段と、
前記動き領域検出手段と前記色検出手段からの出力信号に基づいて、前記スイッチを制御するパス切り替え制御部とを有し、
前記肌色に対応する色空間領域と前記動き領域の双方を検出した場合に前記サブパスに切り替え、他の場合には前記メインパスに切り替えるようにしたことを特徴とするディスプレイ駆動装置の画像処理回路。
【請求項２】
請求項１に記載のディスプレイ駆動装置の画像処理回路において、
前記動き領域検出手段は、前記肌色に対応する色空間領域を検出した場合のみ、前記輝度信号Ｙと前記色差信号Ｉとに基づく信号の動き量を有効とし、有効とされた動き量のノイズ除去フィルタ処理を行った後、前記所定値と比較して動き領域を検出することを特徴とするディスプレイ駆動装置の画像処理回路。
【請求項３】
請求項１に記載のディスプレイ駆動装置の画像処理回路において、
前記動き領域検出手段は、前記輝度信号Ｙと前記色差信号Ｉとに基づく信号の動き量のノイズ除去フィルタ処理を行った後、前記肌色に対応する色空間領域を検出した場合のみ有効とし、有効とされた動き量を前記所定値と比較して動き領域を検出することを特徴とするディスプレイ駆動装置の画像処理回路。
【発明の詳細な説明】
【０００１】
【発明の属する技術分野】
本発明はディスプレイ駆動装置の画像処理回路に関し、特にプラズマディスプレイ（以下、単にＰＤＰと言う）を駆動するのに適したディスプレイ駆動装置の画像処理回路に関する。
【０００２】
【従来の技術】
従来より、面放電を行うＰＤＰが提案されており、これによると、画面上の全画素を表示データに応じて同時に発光させる。面放電を行うＰＤＰは、前面ガラス基板の内面に１対の電極が形成され、内部に希ガスが封入された構造となっている。電極間に電圧を印加すると、電極面上に形成された誘電体層及び保護層の表面で面放電が起こり、紫外線が発生する。背面ガラス基板の内面には、３原色である赤色（Ｒ）、緑色（Ｇ）及び青色（Ｂ）の蛍光体が塗布されており、紫外線によりこれらの蛍光体を励起発光させることによりカラー表示を行う。つまり、Ｒ、Ｇ及びＢの蛍光体が、画面を構成する各画素に対して割り当てられている。
【０００３】
図１２は、例えば上記の如く面放電を行うＰＤＰの階調駆動シーケンスの一例を説明する図である。同図に示すように、１枚の画像を表示する時間である１フィールド期間を複数のサブフィールド期間に分けて、各サブフィールド期間における発光時間（以下、サステイン期間と言う）を制御することにより画像の階調表現を行う。１サブフィールド期間は、そのサブフィールド期間内に発光させる全画素に対して壁電荷を形成させるアドレス期間と、輝度レベルを決定するサステイン期間とから構成される。このため、サブフィールド数を増やすとその数分だけアドレス期間が必要となり、相対的に発光に割り当てられるサステイン期間が短くなり、画面の輝度が低下することになる。
【０００４】
従って、ＰＤＰにおいて限られたサブフィールド数を用いて表現可能な階調数を稼ぐためには、図１２に示すようにビットの重み付けに比例したサステイン期間でＰＤＰを階調駆動するのが一般的である。同図に示す例では、１フィールド期間が６つのサブフィールド期間ＳＦ１〜ＳＦ６からなり、各サブフィールドに対応させた６ビットの画素データにより６４階調の表示を行う。サブフィールド期間ＳＦ１〜ＳＦ６内のサステイン期間は便宜上夫々点灯するものとしてハッチングで示され、時間の比率（発光時間比）はＳＦ１：ＳＦ２：ＳＦ３：ＳＦ４：ＳＦ５：ＳＦ６が１：２：４：８：１６：３２に設定されている。尚、１フィールド期間は約１６．７ｍｓである。
【０００５】
上記の如き階調駆動シーケンスを用いるＰＤＰで動画像を表示する場合に、人間の目の残像効果等により、移動する物体の表面上に本来は存在しないはずの不自然な色の輪郭が発生する現象が生じる。この現象により発生する輪郭を、以下においては「疑似輪郭」と呼ぶ。疑似輪郭が特に顕著となるのは、画面上の人物が動いた場合であり、肌色である例えば顔の部分に緑色や赤色の帯が目に映ったりして、著しい画質の劣化を招いている。
【０００６】
本出願人は、このような疑似輪郭を抑圧するものとして、例えば特願平８−２６３３９８号等のディスプレイ駆動装置を提案した。このディスプレイ駆動装置の画像処理回路の一例の構成図を図１３に示す。
この回路では発光時間比が１：２：４：４：８：８：１２：１２のサブフィールド構成をとっている。メインパス１０は６ビット出力で５２階調の実表示階調数を表現する。サブパス１２は４ビット出力で９階調の実表示階調数を表現する。ＲＧＢマトリクス１４は各ＲＧＢ信号から輝度信号Ｙ（Ｙ＝0.30Ｒ＋0.59Ｇ＋0.11Ｂ）を生成する。動き領域検出回路１６は輝度信号から求めた１フィールド間の差分と２フィールド間の差分の最小値に基づいて、画像中の動きを含む領域を検出する。エッジ検出回路１８は輝度信号から水平方向及び垂直方向のエッジを算出し、これらのエッジ量を求める。判定回路２０は上記の検出された動き領域とエッジ量とに基づいて、疑似輪郭の発生しやすい画素を判定し、判定結果をレベル判定回路２２に供給する。
【０００７】
また、レベル検出回路２４はメインパス１０からのＲＧＢ信号の各々に基づいて輝度レベルを検出する。レベル判定回路２２は判定回路２０の判定結果及びレベル検出回路２４で検出された輝度レベルに基づいて、所定レベル以上となった疑似輪郭の発生しやすい画素の画素データがサブパス１２で処理されるようにパスを切り替える切り替え信号を生成してスイッチ２４に供給し、これを切り替える。
【０００８】
これによって、通常はある程度の階調数が確保されたメインパス１０により入力画像信号が処理され、疑似輪郭の発生しやすい画素のデータについてのみ入力画像信号をサブパス１２で処理するようにパスを自動的に切り替える。
【０００９】
【発明が解決しようとする課題】
従来の画像処理回路ではメインパスかサブパスかの判定レベルの調整により、動きによって疑似輪郭の生じる領域をサブパスに切り替えることが可能である。しかし、実際には疑似輪郭が生じない領域もサブパスに切り替えてしまうことがある。その原因としては、第１に源画像の画像信号自体にノイズが含まれており、動き検出回路１６が誤動作する場合、第２に疑似輪郭が発生しても人間の視覚特性では認知できない色空間があり、そのような領域についても疑似輪郭として検出される場合である。
【００１０】
このような場合、サブパスに切り替えられた部分では誤差拡散によるノイズ、つまり、階調が少なくなってノイズのように見えるという問題があった。
本発明は上記の点に鑑みなされたもので、視覚上で疑似輪郭が目立つ領域をメインパスからサブパスに切り替え拡散誤差によるノイズを防止し、また、ノイズによる誤動作を防止するディスプレイ駆動装置の画像処理回路を提供することを目的とする。
【００１１】
【課題を解決するための手段】
請求項１に記載の発明は、発光時間長によって輝度表現を行うディスプレイの駆動装置の画像処理回路であって、
入力される所定階調数の入力ＲＧＢ信号からそれ以下の階調数のＲＧＢ信号を生成するメインパスと、
前記メインパスより少ない階調数のＲＧＢ信号を生成するサブパスと、
前記メインパスの生成信号とサブパスの生成信号とを切り替えて出力するスイッチと、
前記入力ＲＧＢ信号から輝度信号Ｙと色差信号Ｉを演算し、前記輝度信号Ｙと前記色差信号Ｉとに基づく信号の動き量が所定値を超える動き領域を検出する動き領域検出手段と、
前記入力ＲＧＢ信号から肌色に対応する色空間領域を検出する色検出手段と、
前記動き領域検出手段と前記色検出手段からの出力信号に基づいて、前記スイッチを制御するパス切り替え制御部とを有し、
前記肌色に対応する色空間領域と前記動き領域の双方を検出した場合に前記サブパスに切り替え、他の場合には前記メインパスに切り替えるようにした。
【００１２】
このように、視覚特性上で疑似輪郭の目立ちやすい色空間領域においてのみ動き領域を検出したときサブパスに切り替えるため、動きが検出された場合であっても疑似輪郭の目立たない色空間領域ではサブパスへの切り替えが行われず、上記切り替えで生じる拡散誤差によるノイズを防止できる。
【００１３】
請求項２に記載の発明は、請求項１に記載のディスプレイ駆動装置の画像処理回路において、
前記動き領域検出手段は、前記肌色に対応する色空間領域を検出した場合のみ、前記輝度信号Ｙと前記色差信号Ｉとに基づく信号の動き量を有効とし、有効とされた動き量のノイズ除去フィルタ処理を行った後、前記所定値と比較して動き領域を検出する。
【００１４】
このため、動き量が滑らかに変化して動き領域がブロック状にまとまり、メインパスからサブパスへの切り替えの頻度を小さくできる。
請求項３に記載の発明は、請求項１に記載のディスプレイ駆動装置の画像処理回路において、
前記動き領域検出手段は、前記輝度信号Ｙと前記色差信号Ｉとに基づく信号の動き量のノイズ除去フィルタ処理を行った後、前記肌色に対応する色空間領域を検出した場合のみ有効とし、有効とされた動き量を前記所定値と比較して動き領域を前記所定値と比較して動き領域を検出する。
【００１５】
このため、動き量は滑らかに変化しても、疑似輪郭の目立ちやすい色空間領域か否かによって画素単位で厳密にメインパスからサブパスへの切り替えが行われる。
【００１７】
【発明の実施の形態】
図１は本発明の画像処理回路の第１実施例を示すブロック図である。同図中、ＲＧＢ各色の入力画像信号はメインパス３０とサブパス３２夫々に供給されると共に、パス切替制御部３５のＲＧＢマトリクス回路３６及び色検出回路３８に供給される。
【００１８】
メインパス３０は、図１に示す如く接続されたゲイン制御回路３０ａと誤差拡散回路３０ｂとからなる。他方、サブパス３２は、同図に示す如く接続された歪み補正回路３２ａと、ゲイン制御回路３２ｂと、誤差拡散回路３２ｃと、データ整合回路３２ｄとからなる。
本実施例では、メインパス３０は、６ビット出力で５２の実表示階調数を表現するものとする。この場合、ＲＧＢ信号の各輝度レベルにおける点灯サブフィールド期間の配置は、図２に示す配置と同じであるものとする。従って、単色あたりの表示階調は、レベル０〜５１までの５２階調である。
【００１９】
メインパス３０を介してＰＤＰ上で表示できる最高輝度レベルは、６ビット出力で５１である。又、入力画像信号の最高輝度レベルは、８ビット入力で２５５である。このため、ゲイン制御回路３０ａは、入力画像信号にゲイン係数５１×２8-6 ／２５５＝２０４／２５５を乗算する。このゲイン係数の乗算により、後段の誤差拡散回路３０ｂにおいて、入力画像信号の全域にわたって誤差拡散処理を行うことができる。尚、ゲイン制御回路３２ｂは、一般的な乗算器やＲＯＭ、ＲＡＭ等で構成することができる。
【００２０】
誤差拡散回路３０ｂは、ゲイン制御回路３０ａを介して得られる画像信号に対して誤差拡散を行うことにより、疑似的に中間調を生成し、あたかも階調数が増えたかのような印象を与える。本実施例では、メインパス３０の表示階調数は５２であるため、誤差拡散回路３０ｂの出力ビット数は６である。
本実施例では、サブパス３２は、４ビット出力で９の実表示階調数を表現するものとする。この場合、ＲＧＢ信号の各輝度レベルにおける点灯サブフィールド期間の配置は、図３に示す配置と同じであるものとする。従って、単色あたりの表示階調は、レベル０〜８までの９階調である。
【００２１】
サブパス３２においては、０〜８までの９ステップの階調を表現可能であるが、輝度量は０，１，３，７，１１，．．．といった具合に、均等には増加しない。従って、誤差拡散後の表示特性と逆関数の補正を行い、全体としては線形の表示特性を得る必要がある。歪み補正回路３２ａでは、このような逆関数特性をＲＯＭ又はＲＡＭテーブルに格納している。
【００２２】
サブパス３２を介してＰＤＰ上で表示できる最高輝度レベルは、４ビット出力で８である。又、入力画像信号の最高輝度レベルは、８ビット入力で２５５である。このため、ゲイン制御回路３２ｂは、入力画像信号にゲイン係数８×２8-4 ／２５５＝１２８／２５５を乗算する。このゲイン係数の乗算により、後段の誤差拡散回路６２３において、入力画像信号の全域にわたって誤差拡散処理を行うことができる。尚、ゲイン制御回路３２ｂは、一般的な乗算器やＲＯＭ、ＲＡＭ等で構成することができる。
【００２３】
誤差拡散回路３２ｃは、ゲイン制御回路３２ｂを介して得られる画像信号に対して誤差拡散を行うことにより、疑似的に中間調を生成し、あたかも階調数が増えたかのような印象を与える。本実施例では、サブパス３２の表示階調数は９であるため、誤差拡散回路３２ｃの出力ビット数は４である。
データ整合回路３２ｄは、サブパス３２における輝度レベルを、メインパス３０における輝度レベルに整合させるために設けられている。データ整合回路３２ｄは、本実施例では表１の如きテーブルをＲＯＭ又はＲＡＭテーブルで構成されている。
【００２４】
【表１】
0004107520.tif 000002
【００２５】
スイッチ回路３４は、パス切替制御部３５の判定回路４６からのパス選択／切り替え信号に基づいて、入力画像信号に応じて使用するパスを切り替える。従って、入力画像信号を構成するＲＧＢ信号に対しては、Ｒ，Ｇ，Ｂとで夫々独立してパスの切り替えが行われる。このため、同一画素に関するＲＧＢ信号であっても、例えばＲ信号はメインパス３０で処理され、Ｇ信号及びＢ信号が共にサブパス３２で処理されるといったこともある。
【００２６】
動き検出を行う場合、フィールド単位のメモリが必要となるため、ＲＧＢ３系統独立して検出を行うのは回路規模の増大をまねくため、本実施例ではＲＧＢマトリクス回路（ＲＧＢ演算手段）３６によりＹ＋Ｉ信号に変換する。輝度信号Ｙの生成式はＹ＝0.30Ｒ＋0.59Ｇ＋0.11Ｂである。図４（Ａ），（Ｂ），（Ｃ）に示すカラーバー表示用の各ＲＧＢ信号を入力したとき輝度信号Ｙは図４（Ｄ）に示すようになる。
【００２７】
実際にＰＤＰで表示している場合、疑似輪郭が目立ちやすいのは肌色の部分である。これは人間の色に対する感度が高いことに起因している。カラーコンポジット信号であるＮＴＳＣ規格でも色差を表わすＩ，Ｑ軸で肌色方向のＩ軸はＱ軸に対し３倍の帯域を割り当てられている。色差信号ＩはＩ＝0.60Ｒ−0.28Ｇ−0.32Ｂと規格されている。
【００２８】
本実施例では３系統のＲＧＢ信号を輝度Ｙと色差Ｉとで合成したＹ＋Ｉ軸に変換して動き検出を行う。輝度Ｙと色差Ｉの生成式はＲＧＢ空間からＹＩＱ空間への変換ベクトルと考えることができ、Ｙ＋Ｉ＝0.90Ｒ＋0.31Ｇ−0.2 Ｂとなる。この演算によるＹ＋Ｉ信号の波形を図４（Ｅ）に示す。ここでは、視覚感度の高い肌色に近い黄色と赤のレベルが高くなり、視覚感度の低い青のレベルが低くなっている。
【００２９】
色検出回路（色検出手段）３８は入力ＲＧＢ信号からその画素が疑似輪郭の出やすい色領域にある場合に、それを検出する。図５は色検出回路３８の一実施例のブロック図を示す。同図中、セレクタ５１，５２は各ＲＧＢ信号とスレッショルドレベルＴ１とを独立に選択するよう予め設定されており、ここで選択した信号を比較器５７に供給する。例えばセレクタ５１はＲ信号を選択し、セレクタ５２はスレッショルドレベルＴ１を選択するものとすると、比較器５７はＲ＜Ｔ１のときにハイレベルＲ≧Ｔ１のときにローレベルの比較結果を出力し、この出力信号は論理回路６０に供給される。同様にセレクタ５３，５４は各ＲＧＢ信号とスレッショルドレベルＴ２とを独立に選択するよう予め設定されており、ここで選択された信号は比較器５８で互いに比較され、その比較結果が論理回路６０に供給される。また、セレクタ５５，５６は各ＲＧＢ信号とスレッショルドレベルＴ３とを独立に選択するよう予め設定されており、ここで選択された信号は比較器５９で比較され、その比較結果が論理回路６１に供給される。論理回路６０の出力は論理回路６１に供給される。
【００３０】
論理回路６０，６１夫々は比較器または論理回路からの２入力のアンド演算、オア演算を行って、いずれか一方の演算結果を選択して出力する。どちらを選択するかは選択信号により予め設定されている。
このような構成とすることにより、ＲＧＢ信号から疑似輪郭の出やすい肌色近傍の色空間領域にある場合に値１の検出信号を出力する。
【００３１】
なお、この他にも各ＲＧＢ信号の上位数ビットをアドレスとして、肌色近傍の色空間領域のアドレスについて値１を予め書き込んだＲＯＭ等で色検出回路２８を構成しても良い。この場合もＲＧＢ信号から疑似輪郭の出やすい肌色近傍の色空間領域にある場合に値１の検出信号が出力される。
スイッチ４２は色検出回路２８の出力する値１の検出信号を制御端子に供給されると動き検出回路４０の出力する動き量を選択し、そうでないとき即ち疑似輪郭の出にくい青色等の色領域では動きなしの動き量（固定値、例えば０）を選択してノイズ除去時空間フィルタ４４に供給する。
【００３２】
図６は、図１に示す動き検出回路４０の一実施例を示すブロック図である。  図６中、エッジ検出回路４０ａは、図示の如く接続された１Ｈ遅延回路８１，８２、遅延回路８３、減算回路８４，８５、絶対値回路８６，８７、最大値検出回路８８，８９、乗算回路９０，９２，９３及び加算回路９２を有する。動き領域検出回路６４３は、図示の如く接続された１Ｖ遅延回路１２１，１２２、減算回路１２３，１２４、絶対値回路１２５，１２６及び最小値検出回路１２７を有する。尚、１Ｈは入力画像信号の１水平走査期間を示し、１Ｖは入力画像信号の１垂直走査期間を示す。
【００３３】
エッジ検出回路４０ａにおいて、減算回路８４は、現在の入力輝度信号Ｙと２Ｈ前の入力輝度信号Ｙとの差分を求め、絶対値回路８６は減算回路８４からの差分の絶対値を求める。最大値検出回路８８は、絶対値回路８６で求められた絶対値のうち、例えば最も大きい３つの絶対値を検出して乗算回路９０に出力する。乗算回路９０には、水平方向に延在する横エッジを検出する感度を決定する係数が入力されており、乗算回路９０の出力は加算回路９２に出力される。他方、遅延回路８３は、入力輝度信号Ｙを画素単位（Ｄ）で遅延するので、減算回路８５は入力画像信号の画素間の差分を求める。絶対値回路８７は減算回路８５からの差分の絶対値を求める。最大値検出回路８９は、絶対値回路８７で求められた絶対値のうち、例えば最も大きい３つの絶対値を検出して乗算回路９１に出力する。乗算回路９１には、垂直方向に延在する縦エッジを検出する感度を決定する係数が入力されており、乗算回路９１の出力は加算回路９２に出力される。加算回路９２の出力は乗算回路９３に供給され、全体としてのエッジ感度を決定する係数を乗算される。これにより、乗算回路９３は、エッジ量を示す信号が出力して後述する除算回路１３１に供給する。
【００３４】
動き領域検出回路４０ｂにおいて、減算回路１２３は入力輝度信号Ｙの隣り合う２フィールド期間の差分を求めて絶対値回路１２５に出力する。減算回路１２４は入力輝度信号Ｙの隣り合う２フレーム期間の差分を求めて絶対値回路１２６に出力する。従って、絶対値回路１２５は、現在のフィールド期間と１フィールド期間前の入力輝度信号Ｙの差分の絶対値を求めて最小値検出回路１２７に出力する。他方、絶対値回路１２６は、現在のフィールド期間と２フィールド期間前の入力輝度信号Ｙの差分の絶対値を求めて最小値検出回路１２７に出力する。最小値検出回路１２７は、絶対値回路１２５，１２６からの絶対値のうち、最小値を動き量を示す信号として後述する除算回路１３１に供給する。ノンインターレイス方式を採用する場合、奇数番目のフィールド期間とその次の偶数番目のフィールド期間とでは、実際には画像中に動きがないにも拘らず差分が検出されてしまう可能性がある。そこで、差分は、現在のフィールド期間の入力輝度信号Ｙと１フィールド期間前及び２フィールド期間前の入力輝度信号Ｙとの夫々について求め、その絶対値の最小値から動き量を求めるようにしている。
【００３５】
尚、絶対値回路１２５，１２６から得られる差分の絶対値の単位は例えば（レベル／フィールド）であり、最小値回路１２７から得られる動き量の単位は例えば（ドット／フィールド）である。ここで、動き量は、動き量（ドット／フィールド）＝｛（｜差分（最小値）（レベル／フィールド）｜｝÷｛｜傾き（レベル／ドット）｜｝で表される。
【００３６】
除算回路１３１は、最小値検出回路１２７から得られる動き量を乗算回路９３から得られるエッジ量で除算することにより、画像中の動きの度合い、即ち、動き量を正規化する。除算回路１３１で正規化された動き量は、スイッチ４４に供給される。
スイッチ４４で選択された動き量は孤立点除去回路とテンポラリフィルタと２次元ＬＰＦ（ローパスフィルタ）とよりなるノイズ除去時空間フィルタ４４に供給される。孤立点除去回路は、ノイズ等の孤立した画像データを除去するために設けられている。例えば、画像中の所定範囲内において、周囲の画素が動きを示していないのに中心部の１画素だけが動いていれば、この１画素はノイズと見なせるの。従って、このような場合には、孤立点除去回路１３２で孤立点を除去する。具体的には、孤立点は、各ラインの画素の動き量をしきい値と比較し、しきい値以下の動き量の画素については動きがない画素とみなすことで除去可能である。
【００３７】
テンポラルフィルタは、動きを示す画素のデータのレベルの立ち下がりを時間軸上緩やかに補正するために設けられている。例えば、画像中、特定の画素が動いていて急に止ると、画像データとしてはこの特定画素が止っているが、人間の目には残像効果等で直ちに止って見えない。そこで、テンポラルフィルタは、動きを示す画素のデータのレベルの立ち下がりを時間軸上緩やかに補正することで、ＰＤＰ上の画像の表示を人間の目の特性に合わせて違和感を少なくする。具体的には、テンポラルフィルタは、孤立点除去回路１３２から得られる動き量及び後述するメモリから読み出した値のうち最大値を求め、最大値に１未満の係数を乗算してメモリに格納する。求められた最大値は、テンポラルフィルタ１３３の出力として２次元ＬＰＦに供給される。つまり、メモリに格納される動き量は、少しづつ減少するので、実際の動き量がゼロになってもテンポラルフィルタ１３３から出力される動き量は緩やかに減少する。
【００３８】
２次元ＬＰＦは、１つの画素のデータを、その周辺の画素のデータに基づいて補正することで、ある範囲内の画素のデータを平均化して、１つの画素だけがその周辺の画素と極端に異なるレベルとなることを防止する。つまり、２次元ＬＰＦ１３４は、動き量を２次元空間的に補正する。
判定回路４６はノイズ除去時空間フィルタ４４から供給される動き量が所定の閾値以下の場合、スイッチ３４にメインパス３０を選択させ、動き量が閾値を越えるとスイッチ３４にサブパス３２を選択させるような切り替え信号を生成してスイッチ３４に供給し、これを切り替える。
【００３９】
ここで、疑似輪郭の目立ち易い色とは、人間の視覚感度の高い肌色であり、逆に感度が低い色は青色である。
源画像の画像信号自体にノイズが含まれている場合は、ノイズ除去フィルタの感度を上げることによって解決できるが、動き領域自体が減少してしまうため、肝心の疑似輪郭の発生している領域をカバーできなくなってしまう。具体的には、背景が青い空で人が移動しているような絵柄では、背景のノイズを除去するように感度を設定すると、移動している人の動き領域が減少する。
【００４０】
動き検出に使う信号を、肌色の時最大になり青色では最小になるような、ＲＧＢ演算回路を用い、ノイズ除去フィルタの感度をあまり上げなくても疑似輪郭の生じている領域が特定できる。
同じように移動している肌色の部分と青色の部分があった場合、前者では疑似輪郭が目立つが、後者では目立たないという現象については、本発明では肌色部分を検出し、その領域のみ動き検出を行うため、青色の部分では動き量が動きなしの値となり、この部分でサブパスへの切り替えが防止され誤差拡散によるノイズの発生を防止できる。
【００４１】
図７は本発明の画像処理装置の第２実施例を示すブロック図である。同図中、図１と同一部分には同一符号を付し、その説明を省略する。図７においては、動き検出回路４０の出力する動き量を直接ノイズ除去時空間フィルタ４４に供給して、この時空間フィルタ４４の出力する動き量をスイッチ４２に供給する。スイッチ４２が色検出回路３８の出力する検出信号によって上記の動き量と動きなしの動き量とを切り替え、スイッチ４２の出力する動き量が判定回路４６に供給される。
【００４２】
図１の第１実施例ではスイッチ４２による切り替えの後にノイズ除去フィルタ４４を通すため動き量が滑らかに変化するので、サブパス３２で処理される画素の領域がブロック状にまとまるが、上記の第２実施例ではノイズ除去時空間フィルタ４４を通した動き量がスイッチ４２で切り替えられて判定回路４６に供給されるため、サブパス３２で処理される画素はブロック状にまとまることが少なく画素単位で厳密に切り替えられる。
【００４３】
図８は本発明の画像処理装置の第３実施例を示すブロック図である。同図中、図１と同一部分には同一符号を付し、その説明を省略する。図８においてはノイズ除去時空間フィルタ４４の出力する動き量を、ＲＧＢの各系に対して設けた判定部１４０に供給する。判定部１４０は階調変移検出回路１４２と加算器１４４と判定回路１４６とからなる。
【００４４】
階調変移検出回路（重み演算手段）１４２は図９に示すように、メインパス３０からの出力階調データと、フィールドメモリ１４６に格納された１フィールド前の階調データとを入力アドレスとしてアクセスされる変換テーブル１４８で構成される。この変換テーブル１４８は階調データが１フィールド期間で変化するとき疑似輪郭が発生しやすいような変移をした場合に値が大きく、疑似輪郭が発生しにくいような変移をした場合に値が小さくなる重み量が図１０に示すように予め書き込まれている。
【００４５】
この階調変移検出回路１４２の出力する重み量は加算器１４で動き量に加算され、判定回路１４６に供給される。判定回路１４６は重み量が加算された動き量を所定の閾値と比較して閾値を越えたときにサブパス３４を選択させる切り替え信号を生成してスイッチ３４に供給し、これを切り替える。
ここで、疑似輪郭は微少な階調変移の画素において発生するため、このような疑似輪郭の発生しやすい階調の変移を検出して重み量を設定することにより、この第３実施例では更に疑似輪郭の発生を精度良く防止できる。
【００４６】
図１１は本発明の画像処理回路を適用したディスプレイ駆動装置の一実施例のブロック図を示す。
ディスプレイ駆動装置は、画像処理回路１５０と大略点灯時刻制御回路１５１とＰＤＰ駆動回路１５２とからなる。ＰＤＰ駆動回路１５２は、大略フィールドメモリ１５３と、メモリコントローラ１５４と、スキャンコントローラ１５５と、スキャンドライバ１５６と、アドレスドライバ１５７とからなる。図１０では、便宜上、ＰＤＰ１５８がＰＤＰ駆動回路１５２内に図示されている。
【００４７】
点灯時刻制御回路１５１は、画像処理回路１５０からＲＧＢ信号を供給され、どの階調がどの時刻のサブフィールドで点灯するかを示す被変換データに変換されてＰＤＰ駆動回路１５２に供給される。本実施例では、フィールドメモリ１５３は、メモリコントローラ１５４の制御下で上記被変換データの書き込み及び読み出しを行う。アドレスドライバ１５７は、フィールドメモリ１５３から読み出されたデータに基づいてＰＤＰ１５８を駆動する。スキャンコントローラ１５５は、スキャンドライバ１５６を制御することによりＰＤＰ１５８の駆動を制御する。ＰＤＰ１５８がスキャンドライバ１５６及びアドレスドライバ１５７に駆動されることにより、各サブフィールド内で発光する画素に対して壁電荷が形成されたり、サステイン（発光）パルスが生成されたりする。
【００４８】
【発明の効果】
上述の如く、請求項１に記載の発明は、発光時間長によって輝度表現を行うディスプレイの駆動装置の画像処理回路であって、
入力される所定階調数の入力ＲＧＢ信号からそれ以下の階調数のＲＧＢ信号を生成するメインパスと、
前記メインパスより少ない階調数のＲＧＢ信号を生成するサブパスと、
前記メインパスの生成信号とサブパスの生成信号とを切り替えて出力するスイッチと、
前記入力ＲＧＢ信号から輝度信号Ｙと色差信号Ｉを演算し、前記輝度信号Ｙと前記色差信号Ｉとに基づく信号の動き量が所定値を超える動き領域を検出する動き領域検出手段と、
前記入力ＲＧＢ信号から肌色に対応する色空間領域を検出する色検出手段と、
前記動き領域検出手段と前記色検出手段からの出力信号に基づいて、前記スイッチを制御するパス切り替え制御部とを有し、
前記肌色に対応する色空間領域と前記動き領域の双方を検出した場合に前記サブパスに切り替え、他の場合には前記メインパスに切り替えるようにした。
【００４９】
このように、視覚特性上で疑似輪郭の目立ちやすい色空間領域においてのみ動き領域を検出したときサブパスに切り替えるため、動きが検出された場合であっても疑似輪郭の目立たない色空間領域ではサブパスへの切り替えが行われず、上記切り替えで生じる拡散誤差によるノイズを防止できる。
【００５０】
請求項２に記載の発明は、請求項１に記載のディスプレイ駆動装置の画像処理回路において、
前記動き領域検出手段は、前記肌色に対応する色空間領域を検出した場合のみ、前記輝度信号Ｙと前記色差信号Ｉとに基づく信号の動き量を有効とし、有効とされた動き量のノイズ除去フィルタ処理を行った後、前記所定値と比較して動き領域を検出する。
【００５１】
このため、動き量が滑らかに変化して動き領域がブロック状にまとまり、メインパスからサブパスへの切り替えの頻度を小さくできる。
また、請求項３に記載の発明は、請求項１に記載のディスプレイ駆動装置の画像処理回路において、
前記動き領域検出手段は、前記輝度信号Ｙと前記色差信号Ｉとに基づく信号の動き量のノイズ除去フィルタ処理を行った後、前記肌色に対応する色空間領域を検出した場合のみ有効とし、有効とされた動き量を前記所定値と比較して動き領域を前記所定値と比較して動き領域を検出する。
【００５２】
このため、動き量は滑らかに変化しても、疑似輪郭の目立ちやすい色空間領域か否かによって画素単位で厳密にメインパスからサブパスへの切り替えが行われる。
【図面の簡単な説明】
【図１】本発明の画像処理回路のブロック図である。
【図２】サブパスにおける点灯サブフィールド期間の配置を示す図である。
【図３】メインパスにおける点灯サブフィールド期間の配置を示す図である。
【図４】ＲＧＢマトリクスの動作を説明するための図である。
【図５】色検出回路のブロック図である。
【図６】動き検出回路のブロック図である。
【図７】本発明の画像処理回路のブロック図である。
【図８】本発明の画像処理回路のブロック図である。
【図９】階調変移検出回路のブロック図である。
【図１０】変換テーブルを説明するための図である。
【図１１】本発明回路を適用したディスプレイ駆動装置のブロック図である。
【図１２】面放電を行うＰＤＰの階調駆動シーケンスの一例を説明するための図である。
【図１３】従来回路のブロック図である。
【符号の説明】
３０  メインパス
３０ａ  ゲイン制御回路
３０ｂ，３２ｃ  誤差拡散回路
３２  サブパス
３２ａ  歪み補正回路
３２ｂ  ゲイン制御回路
３２ｄ  データ整合回路
３４，４２  スイッチ
３５  パス切替制御部
３６  ＲＧＢマトリクス回路
３８  色検出回路
４０  動き検出回路
４４  ノイズ除去時空間フィルタ
４６，１４６  判定回路
１４０  判定部
１４２  階調変移検出回路
１４４  加算器
【図１】
0004107520.tif 000003
【図２】
0004107520.tif 000004
【図３】
0004107520.tif 000005
【図４】
0004107520.tif 000006
【図５】
0004107520.tif 000007
【図６】
0004107520.tif 000008
【図７】
0004107520.tif 000009
【図８】
0004107520.tif 000010
【図９】
0004107520.tif 000011
【図１０】
0004107520.tif 000012
【図１１】
0004107520.tif 000013
【図１２】
0004107520.tif 000014
【図１３】
0004107520.tif 000015